(57)【要約】【課題】  シリンダー錠全体を交換することなく、安価に、しかも、容易な変更作業で、専用キーを変更することのできるシリンダー錠を得る。【解決手段】  外筒１５に内設された内筒１９と、内筒１９の外周面に形成されたバー収容溝４１と、バー収容溝４１から突出されることで外筒１５のロック溝４９に進入し内筒１９の回転を阻止するロッキングバー４３と、内筒１５に設けられバー進入凹部５３Ａ，５３Ｂにてロッキングバー４３をバー収容溝４１に後退可能にするタンブラとを備えており、タンブラは第１タンブラ２３Ａと第２タンブラ２３Ｂとからなり、第１タンブラ２３Ａと第２タンブラ２３Ｂとが孔５５ａ，５５ｂ，５５ｃとピン５７によって異なる複数の位置で選択的に連結可能となり、かつロッキングバー４３の移動にて連結解除可能となって、第１，第２タンブラとが組み換え可能となり、カギ違いが変更可能となる。【選択図】      図２
2006328854.tif 000002
【特許請求の範囲】
【請求項１】
外筒と、
該外筒に内設され一端面にキー孔を有するとともに他端面に錠機構に接続するテールピースを有した内筒と、
該内筒の外周面に軸線方向に形成されたバー収容溝と、
前記外周面から突出可能に該バー収容溝に収容され前記外周面から突出配置されることで前記外筒の内周に形成されたロック溝に進入して前記外筒に対する前記内筒の回転を阻止するロッキングバーと、
該ロッキングバーと前記キー孔との間の前記内筒に軸線方向で複数設けられ前記キー孔に挿入されたキーのキー溝にキー突起を進入させることで前記内筒の軸線直交方向にスライドされバー進入凹部を前記ロッキングバーに一致させて該ロッキングバーを前記バー収容溝に後退可能にするタンブラと、
を備えたシリンダー錠であって、
前記ロッキングバーが、前記内筒の所定の回転角度範囲で前記軸線方向に移動可能となり、
前記タンブラが、前記ロッキングバーの没入を許容する前記バー進入凹部を有した第１タンブラと、同じく前記ロッキングバーの没入を許容する前記バー進入凹部、キー溝に進入する前記キー突起を有した第２タンブラとからなり、かつ前記第２タンブラが、前記スライド方向に可動自在に前記第１タンブラを内方に収容し前記第１タンブラの位置を規制可能とする一対の離間片を有するコ字形状に形成され、
前記内筒を前記所定の回転角度範囲に回転可能とする変更キーと、前記キー突起を介して前記第２タンブラを前記スライド方向に位置規制して前記第１タンブラの位置を初期化するニュートラルキーとを備え、
前記第２タンブラによる前記第１タンブラの位置規制時に、一方の前記離間片とで前記第１タンブラを挟持して位置規制するリセットバーが前記第１タンブラの移動軌跡に対して進退移動可能となって前記内筒に設けられ、
前記第１タンブラは、前記ロッキングバーの移動とともに移動可能となり、
前記第１タンブラと前記第２タンブラとが連結手段によって前記スライド方向の異なる複数の位置で選択的に連結可能となり、
かつ前記ロッキングバーの移動により前記連結手段による連結が解除可能となったことを特徴とするシリンダー錠。
【請求項２】
前記ロッキングバーには前記第１タンブラを前記スライド方向に摺動自在にガイドするガイド溝が形成され、
前記連結手段による連結が、該ガイド溝に係合して前記ロッキングバーと一体となった前記第１タンブラの前記軸線方向の移動によって解除されることを特徴とする請求項１記載のシリンダー錠。
【発明の詳細な説明】
【技術分野】
【０００１】
本発明は、タンブラの組合せを変更して使用キー（専用キー、マスターキー）の鍵変更を可能とするシリンダー錠に関する。
【背景技術】
【０００２】
賃貸マンションやアパート等に用いられるシリンダー錠には、タンブラ式のものがあり、このタンブラ式シリンダー錠には、さらにピンタンブラ式のものがある。ピンタンブラ式のシリンダー錠は、外筒と、この外筒に回動自在な内筒とを有し、外筒と内筒とには、両者に亘ってピン挿入孔が穿設されている。このピン挿入孔には、外筒側ピン挿入孔にドライバピン、内筒側ピン挿入孔にはタンブラピンが収容され、合鍵が内筒のキー孔に挿入されることで、合鍵のキー溝に一致した位置にタンブラピンが配置され、その結果、タンブラピンとドライバピンとの境が、内筒外周と外筒内周との境界、すなわち、シアーラインに一致することで、内筒が外筒に対して回動可能となり、施解錠可能状態となる。一方、合鍵でないキーが挿入されれば、タンブラピンが正規の位置に配置されないため、シアーラインにはドライバピン、或いはタンブラピンが横断することとなり、これにより、内筒の回転が阻止される。
【発明の開示】
【発明が解決しようとする課題】
【０００３】
ところで、賃貸マンションやアパートにおいては、入居者が交替する場合があり、旧入居者が合鍵の複製を所有している場合には、新入居者の防犯上から旧入居者の鍵を使用不能とすることが望ましい。
しかしながら、上記したピンタンブラ式のシリンダー錠において、別の専用キーのみの使用を可能とするには、別構成のピンタンブラとドライバピンとを組み込まなければならず、容易に変更を行うことはできなかった。また、入居者の交替の都度、シリンダー錠を交換すれば、多大な費用を負担しなければならない問題が発生した。
【０００４】
本発明は上記状況に鑑みてなされたもので、シリンダー錠全体を交換することなく、安価に、しかも、容易な変更作業で、専用キーを変更することのできるシリンダー錠を提供することにある。
【課題を解決するための手段】
【０００５】
次に、上記の課題を解決するための手段を、実施の形態に対応する図面を参照して説明する。
本発明の請求項１記載のシリンダー錠１００は、外筒１５と、
該外筒１５に内設され一端面にキー孔１７を有するとともに他端面に錠機構に接続するテールピース７３を有した内筒１９と、
該内筒１９の外周面に軸線方向に形成されたバー収容溝４１と、
前記外周面から突出可能に該バー収容溝４１に収容され前記外周面から突出配置されることで前記外筒１５の内周に形成されたロック溝４９に進入して前記外筒１５に対する前記内筒１９の回転を阻止するロッキングバー４３と、
該ロッキングバー４３と前記キー孔１７との間の前記内筒１５に軸線方向で複数設けられ前記キー孔１７に挿入されたキーのキー溝２１ａにキー突起５９を進入させることで前記内筒１５の軸線直交方向にスライドされバー進入凹部５３Ａ、５３Ｂを前記ロッキングバー４３に一致させて該ロッキングバー４３を前記バー収容溝４１に後退可能にするタンブラ２３と、
を備えたシリンダー錠１００であって、
前記ロッキングバー４３が、前記内筒１９の所定の回転角度範囲で前記軸線方向に移動可能となり、
前記タンブラ２３が、前記ロッキングバー４３の没入を許容する前記バー進入凹部５３Ａを有した第１タンブラ２３Ａと、同じく前記ロッキングバー４３の没入を許容する前記バー進入凹部５３Ｂ、キー溝に進入する前記キー突起５９を有した第２タンブラ２３Ｂとからなり、かつ前記第２タンブラ２３Ｂが、前記スライド方向に可動自在に前記第１タンブラ２３Ａを内方に収容し前記第１タンブラ２３Ａの位置を規制可能とする一対の離間片６０ａ，６０ｂを有するコ字形状に形成され、
前記内筒１９を前記所定の回転角度範囲に回転可能とする変更キー６９と、前記キー突起５９を介して前記第２タンブラ２３Ｂを前記スライド方向に位置規制して前記第１タンブラ２３Ａの位置を初期化するニュートラルキー７５とを備え、
前記第２タンブラ２３Ｂによる前記第１タンブラ２３Ａの位置規制時に、一方の前記離間片６０ｂとで前記第１タンブラ２３Ａを挟持して位置規制するリセットバー６３が前記第１タンブラ２３Ａの移動軌跡に対して進退移動可能となって前記内筒１９に設けられ、
前記第１タンブラ２３Ａは、前記ロッキングバー４３の移動とともに移動可能となり、
前記第１タンブラ２３Ａと前記第２タンブラ２３Ｂとが連結手段５５ａ、５５ｂ、５５ｃ、５７によって前記スライド方向の異なる複数の位置で選択的に連結可能となり、
かつ前記ロッキングバー４３の移動により前記連結手段５５ａ、５５ｂ、５５ｃ、５７による連結が解除可能となったことを特徴とする。
【０００６】
このシリンダー錠では、第１のキー２１の使用状態において第１タンブラー２３Ａと第２タンブラ２３Ｂとが所定の相対位置に連結され、第１のキー２１を挿入した際に、キー突起５９により、バー進入凹部５３Ａ，５３Ｂがロッキングバー４３の後退を許容可能な位置に配置される。つまり、第１のキー２１を挿入することにより、タンブラ２３のバー進入凹部５３Ａ，５３Ｂにロッキングバー４３が進入し、これによりロッキングバー４３が外筒１５のロック溝４９から後退することで、内筒１９が回動可能となる。このシリンダー錠１００を第２のキー７１専用とするには、まず変更キー６９が挿入される。変更キー６９が挿入され、内筒１９が所定の回転角度範囲まで回転されると、ロッキングバー４３が付勢手段により軸線方向に移動され、これに伴い第１タンブラ２３Ａも移動される。第１タンブラ２３Ａの移動により、連結手段５５ａ，５５ｂ，５５ｃ，５７による連結が解除され、第２タンブラ２３Ｂが第１タンブラ２３Ａに対し、軸線直行方向にスライド可能な状態となる。変更キー６９による回転が完了したなら変更キー６９が抜かれる。変更キー６９が抜かれると、リセットバー６３が移動される。ここで、ニュートラルキー７５が挿入されると、第２タンブラ２３Ｂがニュートラルキー７５のキー溝７５ａにキー突起５９を介してスライドされ、これに伴って第１タンブラ２３Ａは、一端が第２タンブラ２３Ｂの一方の離間片６０ｂに押圧され、他端がリセットバー６３に当接し、挟持状態となって、基準となる初期位置にスライドされる。この状態で、ロッキングバー４３は、第１タンブラ２３Ａのバー進入凹部５３Ａに進入してバー収容溝４１内に後退可能となっている。そこで、ニュートラルキー７５が回転されると、ロッキングバー４３がロック溝４９から外れ、バー収容溝４１内へ後退するとともに、第１タンブラ２３Ａのバー進入凹部５３Ａにロッキングバー４３が進入する。つまり、第１タンブラ２３Ａは、リセットバー６３とロッキングバー４３とでスライドが規制された状態となる。ここで、ニュートラルキー７５が抜かれると、連結手段５５ａ，５５ｂ，５５ｃ，５７の解除されている第２タンブラ２３Ｂがフリー状態となってスライドする。この状態で新たに設定させるキーである第２のキー７１が挿入されると、第２タンブラ２３Ｂのキー突起５９が第２のキー７１のキー溝７１ａに合った位置に移動される。この状態で内筒１９を所定の回転角度範囲から外れる領域まで回転させると、ロッキングバー４３が再び軸線方向に移動し、元の位置に戻る。ロッキングバー４３が元の位置に戻ることにより、連結手段５５ａ，５５ｂ，５５ｃ，５７により第１タンブラ２３Ａと第２タンブラ２３Ｂとが連結状態となる。つまり、第２タンブラ２３Ｂは、第２のキー７１に一致した位置で位置変更されたこととなる。これにより第２のキー７１を引き抜いた後であっても、以降、第１のキー２１が使用不能となり、第２のキー７１が新たな専用キーとして使用可能となる。
【０００７】
請求項２記載のシリンダー錠１００は、前記ロッキングバー４３には前記第１タンブラ２３Ａを前記スライド方向に摺動自在にガイドするガイド溝６１が形成され、前記連結手段５５ａ，５５ｂ，５５ｃ，５７による連結が、該ガイド溝６１に係合して前記ロッキングバー４３と一体となった前記第１タンブラ２３Ａの前記軸線方向の移動によって解除されることを特徴とする。
【０００８】
このシリンダー錠では、ロッキングバー４３にガイド溝６１が形成され、このガイド溝６１に第１タンブラ２３Ａが係入していることで、ロッキングバー４３が軸線方向に移動した場合に、ガイド溝６１を介して第１タンブラ２３Ａもロッキングバー４３と一体となって軸線方向に移動することとなる。この第１タンブラ２３Ａの移動によって、連結手段５５ａ，５５ｂ，５５ｃ，５７による連結が解除され、第２タンブラ２３Ｂがフリー状態となる。
【発明の効果】
【０００９】
本発明に係る請求項１記載のシリンダー錠によれば、変更キーを挿入し、内筒を所定の回転角度範囲に回転することで、第１タンブラと第２タンブラとの連結を解除し、その状態で、変更キーを抜き、ニュートラルキーを挿入する。すると、第１タンブラが初期位置にスライドされ、ニュートラルキーが回転されると、第１タンブラは、リセットバーとロッキングバーとでスライドが規制された状態となる。ここで、ニュートラルキーが抜かれると、第２タンブラがフリー状態となり、第２のキーを挿入して、第２タンブラを第２のキーに応じた位置へ配置を変更することができる。これにより、第１のキーを第２のキーへと変更することができる。この結果、シリンダー錠を交換せずに、多大な費用を費やすことなく、鍵変更を可能にすることができる。また、錠変更は、新たに使用したいキーをキー孔へ挿入するのみで可能となるので、変更作業を極めて容易に行うことができる。これに加え、ニュートラルキーを用いて変更途中の第１タンブラを初期位置に設定できるので、第１のキーが不要になり、第１のキーを紛失してしまった場合であっても、錠変更を可能にすることができる。このことから、賃貸マンションなどにおいて、入居者が交替した場合に、旧入居者の使用していたキー（合鍵）を使用不能とすることが可能となる。また、同様に、各専用のキーの各シリンダー錠に対して共通して使用可能となるマスターキーの変更も可能となり、例えば、複数有るシリンダー錠に共通させてグループとした管理態勢に、新たなマスターキーでのグループ管理を行え、すなわち、管理者の交替にも対応可能となる。
【００１０】
請求項２記載のシリンダー錠によれば、ロッキングバーにガイド溝を形成し、このガイド溝を介してロッキングバーに第１タンブラを軸線方向に一体移動可能に保持させたので、ロッキングバーを利用して第１タンブラを保持することができ、ロッキングバーが第１タンブラの保持部材を兼ねることになって、他部材を用いずに少ない部品点数でタンブラ同士の連結解除機構を構成することができる。
【発明を実施するための最良の形態】
【００１１】
以下、本発明に係るシリンダー錠の好適な実施の形態を図面を参照して詳細に説明する。
図１は本発明に係るシリンダー錠の外観斜視図、図２は図１に示したシリンダー錠のキー挿入方向に直交する方向の断面図、図３は図２の分解斜視図、図４は（ｃ）のＡ−Ａ断面を（ａ）、（ｃ）のＢ−Ｂ断面を（ｂ）、本発明シリンダー錠のキー挿入方向に直交する方向の断面を（ｃ）に表した説明図である。
本実施の形態に係るシリンダー錠１００は、図１に示すように、不図示の扉の屋外面に取り付けられ、化粧リング１１により前端面を除く錠本体１３の外周が覆われる。錠本体１３は、扉或いは錠箱に固定される外筒１５と、前端面にキー孔１７を有し、この外筒１５に対し回動自在に内設される内筒１９とに大別して構成される。
【００１２】
内筒１９のキー孔１７には例えば賃貸住宅の最初の入居者の第１のキーである第１専用キー２１が挿入され、シリンダー錠１００はこの第１専用キー２１によって内筒１９が外筒１５に対して回動自在、すなわち、施解錠可能となっている。
【００１３】
図２に示すように、内筒１９にはキー孔１７を挟み左右にスライドタンブラ２３、２３が設けられる。また、キー孔１７の図２に示す上方にはピンタンブラ２５が設けられている。これらスライドタンブラ２３，２３，ピンタンブラ２５は、キー孔１７の挿入方向に複数組、本実施の形態ではピンタンブラ２５及び、スライドタンブラ２３，２３が６組配設されている。なお、説明の都合上、スライドタンブラ２３，２３はそれぞれが略同一構成であるためそのうちの１つを例に説明する。
【００１４】
ピンタンブラ２５は、内筒側ピン収容孔２７に収容されるタンブラピン２９と、外筒側ピン収容孔３１に収容されるドライバピン３３とからなり、外筒側ピン収容孔３１を塞ぐ蓋３５とドライバピン３３との間にはコイルバネ３７が配設され、これによりドライバピン３３はピンタンブラ２５側へ付勢されている。ピンタンブラ２５の先端はキー孔１７へ突出され、キー孔１７に挿入された第１専用キー２１によってピンタンブラ２５の配置が決まり、これによってピンタンブラ２５とドライバピン３３との境が、内筒１９外周と外筒１５内周との間であるシアーライン３９に一致するようになっている。したがって、異なる専用キーが挿入されれば、ピンタンブラ２５或いはドライバピン３３がシアーライン３９を横断することとなり、内筒１９の回動が不能となる。
【００１５】
内筒１９の外周には軸線方向に延在する一対のバー収容溝４１、４１が軸線を対称に形成され、バー収容溝４１にはロッキングバー４３が収容される。ロッキングバー４３は、先端が尖頭部４５となり、後端がタンブラ係合板部４７となる。ロッキングバー４３は、尖頭部４５がバー収容溝４１から突出することで、外筒１５の内周に軸線方向で形成されたロック溝４９に係合するようになっている。内筒１９は、ロッキングバー４３の尖頭部４５がロック溝４９に進入することで、回動が阻止される。また、ロッキングバー４３は、尖頭部４５がバー収容溝４１内へ後退することで、外筒１５とのロックが解除される。これにより、内筒１９は、回動自在となる。なお、本実施の形態のロッキングバー４３の係合板部４７は、係合凸部４７ａとスリット凹部４７ｂとを備えた略櫛歯状に形成されている。
【００１６】
ロッキングバー４３が、バー収容溝４１内に没入した状態で、タンブラ係合板部４７は、内筒１９の内部に形成されたタンブラ収容空間５１に突出するようになっている。このタンブラ収容空間５１にはタンブラ２３が収容され、タンブラ２３は内筒１９の軸線直交方向（図２の上下方向）にスライド自在に収容される。図３に示すように、タンブラ２３は、第１タンブラ２３Ａと、第２タンブラ２３Ｂとからなる。
【００１７】
第１タンブラ２３Ａには、半径方向外側の辺部に、凹凸からなるバー進入凹部５３Ａが形成される。また、第２タンブラ２３Ｂの左辺部には、バー進入凹部５３Ａとは異なる形状のバー進入凹部５３Ｂが形成されている。第１タンブラ２３Ａには同一の内径の複数の位置決め孔５５ａ、５５ｂ、５５ｃがタンブラスライド方向（図２の上下方向）に穿設されている。第２タンブラ２３Ｂには、第１タンブラ２３Ａのそれぞれの位置決め孔５５ａ、５５ｂ、５５ｃに嵌入可能となった位置決めピン５７が突設されている。これら、位置決め孔５５ａ、５５ｂ、５５ｃと位置決めピン５７とは、連結手段を構成している。また、第２タンブラ２３Ｂにはキー孔１７内に突出するキー突起５９が設けられる。このキー突起５９は、キー孔１７に挿入されるキーのキー溝、例えば図１に示すような第１専用キー２１のキー溝２１ａに、図１６（ｂ）に示すように進入する。
【００１８】
第１タンブラ２３Ａと第２タンブラ２３Ｂとは、位置決めピン５７がいずれかの位置決め孔５５ａ、５５ｂ、５５ｃに嵌入することで相対移動不能な連結状態となり、この状態で、図２に示すように、バー進入凹部５３Ａ、バー進入凹部５３Ｂをタンブラ係合板部４７側へ向ける一方、キー突起５９をキー孔１７へ突出させる。
【００１９】
また、第２タンブラ２３Ｂは、側面視で、一対の離間片６０ａ，６０ｂを有するコ字形状（図９（ｂ）参照）に形成されている。第２タンブラ２３Ｂは、コ字形状の内方に、第１タンブラ２３Ａをスライド自在に収容している。収容された第１タンブラ２３Ａは、スライド方向の何れか一方で、離間片６０ａ，６０ｂに当接してそのスライド移動と位置とが規制される。
【００２０】
図４に示すように、ロッキングバー４３のタンブラ係合板部４７には、係合凸部４７ａに第１タンブラ２３Ａを軸線直交方向（図４の紙面垂直方向）にスライド自在にガイドするガイド溝６１が形成されている。また、第２タンブラ２３Ｂは、タンブラ収容空間５１内に設けられたタンブラ付勢バネ５２により、図２の下方向へと付勢されている。
【００２１】
また、ロッキングバー４３の上端には不図示の凸部が設けられ、凸部は内筒１９の不図示の付勢手段の付勢力によって台座部６５に当接される。台座部６５には不図示の凹部が形成され、凹部は凸部を進入可能としている。ロッキングバー４３は、付勢手段よって図４（ａ）の上方向へ付勢されており、内筒１９が外筒１５に対して所定の回転角度範囲（後述する図７（ａ）の右上４５°の範囲）となることで、凸部が凹部に一致し、その結果、ロッキングバー４３が上方向へ移動されるようになっている。
【００２２】
ここで、図６に示すように、第１タンブラ２３Ａは、ガイド溝６１と係合しているため、ロッキングバー４３が上方向へ移動すると、図７（ｂ）に示すように、一体となって上方向へ移動される。その結果、移動しない第２タンブラ２３Ｂの位置決めピン５７から、位置決め孔５５ａ，５５ｂ，５５ｃ（図示の例では５５ｃ）が抜けるようになっている。すなわち、位置決め孔５５ａ，５５ｂ，５５ｃから位置決めピン５７が抜けた状態では、第１タンブラ２３Ａと第２タンブラ２３Ｂとは連結が解除された状態となる。そして、この状態においては、スリット凹部４７ｂの位置に第２タンブラ２３Ｂが位置することとなる（図７（ｂ）参照）。
【００２３】
また、図２に示すように、内筒１９には、それぞれのロッキングバー４３，４３の上方に、軸線方向に移動自在となったリセットバー６３，６３が設けられている。リセットバー６３は、図４（ｂ），図７（ｃ）に示すように、軸線方向に複数の凹部６３ａと凸部６３ｂとが連続した櫛歯状に形成されている。リセットバー６３は、所定の回転角度範囲で、後述の変更キーが抜かれた際に、図９（ｃ）に示すように、軸線に沿ってキー孔開口方向（図９（ｃ）の下方向）へ移動（前進）されるようになっている。これにより、リセットバー６３，６３は、第２タンブラ２３Ｂによる第１タンブラ２３Ａの位置規制時に、第１タンブラ２３Ａの移動軌跡に対して凹部６３ａから凸部６３ｂに移動して、凸部６３ｂが第１のタンブラ２３Ａの移動軌跡内に位置し、この凸部６３ｂと一方の離間片６０ｂとで第１タンブラ２３Ａを挟持して位置規制する（図１０（ｂ）参照）。
【００２４】
ところで、本実施の形態によるシリンダー錠１００は、第１専用キー２１での施解錠可能状態から、他の専用キー（第２専用キー、第３専用キー、・・・）での施解錠可能状態への切換を可能としている。また、これらの専用キー使用可能状態において、施解錠が可能となるマスターキーを備えるものであるが、このマスターキーも他のマスターキーへと変更が可能となっている。すなわち、第１専用キー、第２専用キー、第３専用キーに対して施解錠が可能となる第１マスターキーは、マスターキー変更されることにより、施解錠不能となり、第１専用キー、第２専用キー、第３専用キーは、変更された後の新たな第２マスターキーによって施解錠可能となる。
【００２５】
ここで、第１専用キー、第２専用キー、第３専用キー、・・・は、時計回りで図５に示す第１の位置Ｐ１から第２の位置Ｐ２までの範囲、および第４の位置Ｐ４から第１の位置Ｐ１までの範囲の内筒１９の回転を可能にする。また、シリンダー錠１００には、第１専用キー２１から他の第２専用キーへの変更を可能にするための後述の変更キー６９が備えられる。この変更キー６９は、内筒１９を第１の位置Ｐ１から第３の位置Ｐ３までの１８０°の回転角度で内筒１９を回動可能とする。また、第１専用キー、第２専用キー、第３専用キー、・・・は、第３の位置Ｐ３の位置まで回転され、後述のニュートラルキー７５の抜かれた後の内筒１９に挿入されることで、第１の位置Ｐ１までの内筒１９の回動を可能としている。これらの構成は、例えば内筒１９を外筒１５に対して３６０°回動可能に構成する一方、第１専用キー、第２専用キー、第３専用キー、・・・、変更キーを上記の回転角度範囲のみで抜脱可能とすることで実現できる。
【００２６】
さらに、本実施の形態によるシリンダー錠１００は、第１タンブラ２３Ａの位置を初期化するためのニュートラルキー７５が備えられる。このニュートラルキー７５は、変更キーによって内筒１９を所定の回転角度範囲、本実施の形態では１８０°（図９，１０参照）まで回転させた後に、変更キーと差し替えられる。
すなわち、ニュートラルキー７５は、第３の位置Ｐ３で変更キーが抜かれた後（図９（ａ）（ｂ）参照）に挿入される。
ニュートラルキー７５が挿入されることで、フリー状態となった第２タンブラ２３Ｂが、ニュートラルキー７５のキー溝によって下方向へ移動される。すると、第２タンブラ２３Ｂの離間片６０ｂによって、第１タンブラ２３Ａは、上端が押圧され、図１０（ａ）（ｂ）に示すように、下方向へ移動されるようになっている。
【００２７】
その結果、第１タンブラ２３Ａは、上端が離間片６０ｂに押圧され、下端がリセットバー６３の凸部６３ｂに当接する。これにより、第１タンブラ２３Ａは、離間片６０ｂとリセットバー６３（凸部６３ｂ）とによって挟持されて、スライド方向に位置決めされるようになっている。この位置が、第１タンブラ２３Ａの基準の位置である初期化位置となる。後述するように、シリンダー錠１００では、このニュートラルキー７５を備えることで、錠変更時に、第１専用キー２１を不要にしている。つまり、第１専用キー２１を紛失した場合であっても、新たなキーを使用可能な錠変更が行えるようになっている。
【００２８】
次に、このように構成されるシリンダー錠の専用キー変更の動作手順を説明する。
第１専用キー２１で施解錠操作が行える状態、すなわち第１専用キー２１での運用状態を図４（ｃ）に示す。この状態でのシリンダー錠１００は、内筒１９が第１の位置Ｐ１とされ、第１専用キー２１が抜かれている状態を示す。
図５は変更キーが挿入された動作説明図、図６は図５の軸線を含む面で切断した断面図である。
この状態で、キー孔１７に、図５、図６に示すように変更キー６９が挿入されると、第２タンブラ２３Ｂのキー突起５９が変更キー６９のキー溝６９ａに進入し、タンブラ２３が図５の上方向へ移動することにより、タンブラ２３のバー進入凹部５３Ａ、バー進入凹部５３Ｂが、ロッキングバー４３のタンブラ係合板部４７に一致する。
【００２９】
図７は変更キーの約１３５°回転位置を（ａ）、（ａ）のＣ−Ｃ断面を（ｂ）、（ａ）のＤ−Ｄ断面を（ｃ）に表した動作説明図である。
この状態で、変更キー６９が時計回りに回転されると（第１の位置Ｐ１から約１３５°）、ロッキングバー４３の尖頭部４５がロック溝４９から外れ、ロッキングバー４３がバー収容溝４１内に没入して、内筒１９が回動される。
【００３０】
内筒１９の回転中、ロッキングバー４３の図示しない凸部が台座部６５の図示しない凹部に進入し、ロッキングバー４３が図７（ｂ）の上方向へ移動する（図中矢線Ｒ）。この状態で、第２タンブラ２３Ｂは、第１タンブラ２３Ａがロッキングバー４３と共に移動することで、位置決めピン５７が外れ、第１タンブラ２３Ａとの連結が解除される。この状態で、第１タンブラ２３Ａはロッキングバー４３に係合してスライドが規制され、第２タンブラ２３Ｂはキー突起５９を介して変更キー６９によってスライドが規制される。また、この状態では、図７（ｃ）に示すように、リセットバー６３，６３は、未だ前方へ移動されてなく、第１タンブラ２３Ａの移動軌跡を妨げることなく、凹部６３ａが位置している。
【００３１】
図８は変更キーが最終回転位置となった状態を表す断面図である。
変更キー６９が第３の位置Ｐ３（１８０°）まで回転されると、再びロッキングバー４３が反対側のロック溝４９に進入し、内筒１９が外筒１５に対してロック状態となる。変更キー６９は、第３の位置Ｐ３までしか使用できないため、この位置で変更キー６９が抜かれる。
【００３２】
図９は変更キーが抜かれた軸線直交方向の断面視を（ａ）、（ａ）のＥ−Ｅ断面を（ｂ）、（ａ）のＦ−Ｆ断面を（ｃ）に表した動作説明図である。
第３の位置Ｐ３で変更キー６９が抜かれると、キー突起５９と変更キー６９との係合が解除され、図９（ａ）（ｂ）に示すように、タンブラ付勢バネ５２の付勢力によって、第２タンブラ２３Ｂが上方へスライドされる。なお、この状態において、第１タンブラ２３Ａは、下端が第２タンブラ２３Ｂの離間片６０ａに当接される。すなわち、離間片６０ａとともに上方へスライドされる。また、変更キー６９が抜かれることで、図９（ｃ）に示すように、リセットバー６３が前方へ移動され（矢線Ｑ）、第１タンブラ２３Ａの移動軌跡内において凹部６３ａから凸部６３ｂとなり、すなわち移動軌跡内に凸部６３ｂが進出する。
【００３３】
図１０はニュートラルキーが挿入された軸線直交方向の断面を（ａ）、（ａ）のＧ−Ｇ断面を（ｂ）に表した動作説明図である。
この状態で、ニュートラルキー７５が挿入されると、第２タンブラ２３Ｂがニュートラルキー７５のキー溝７５ａにキー突起５９を介して下方へスライドされ、これに伴って第１タンブラ２３Ａは、一端が第２タンブラ２３Ｂの一方の離間片６０ｂに押圧され、他端がリセットバー６３の凸部６３ｂに当接して、基準位置となる初期位置にスライドされる。この状態で、ロッキングバー４３は、第１タンブラ２３Ａのバー進入凹部５３Ａに進入してバー収容溝４１内に後退可能となっている。すなわち、この初期位置では、バー進入凹部５３Ａがロッキングバー４３の位置となる。
【００３４】
図１１はニュートラルキー回転状態の軸線直交方向の断面図である。
そこで、ニュートラルキー７５が回転、本実施の形態では第３の位置Ｐ３から第４の位置Ｐ４の間となる約４５°回転されると、ロッキングバー４３がロック溝４９から外れ、バー収容溝４１内へ後退するとともに、第１タンブラ２３Ａのバー進入凹部５３Ａにロッキングバー４３のタンブラ係合板部４７が進入する。したがって、第１タンブラ２３Ａは、ロッキングバー４３によってスライドが規制された状態となる。また、第２タンブラ２３Ｂも未だニュートラルキー７５によってスライドが規制された状態となる。
【００３５】
図１２はニュートラルキーが抜かれた軸線直交方向の断面図である。
ここで、ニュートラルキー７５が抜かれると、連結手段の解除されている第２タンブラ２３Ｂがフリー状態となって、タンブラ付勢バネ５２の付勢力によってスライドする。すなわち、この状態では、第２タンブラ２３Ｂはフリーであり、第１タンブラ２３Ａは移動規制されている。
【００３６】
図１３は第２のキーが挿入された軸線直交方向の断面図である。
ニュートラルキー７５が抜かれたなら、次に、新たに設定するキーとしての第２のキーである第２専用キー７１が挿入される。第２専用キー７１が挿入されると、第２専用キー７１のキー溝７１ａに沿ってキー突起５９を介して第２タンブラ２３Ｂがスライドされる。この際、第２タンブラ２３Ｂは、第１専用キー２１のときとは異なる位置に配置される。つまり、第２タンブラ２３Ｂの位置決めピン５７が、異なる位置決め孔５５ｂ（図３参照）へ一致する。
【００３７】
図１４は第２のキーによる回転完了状態を表した軸線直交方向の断面図である。
この状態から第２専用キー７１が第４の位置Ｐ４を経て第１の位置Ｐ１へ向かって時計回り方向へ回転されると、ロッキングバー４３の凸部が凹部から外れ（図示せず）、再びロッキングバー４３が、図７（ｂ）の状態から図４（ａ）に示した位置へ移動（図７（ｂ）中矢線Ｒと逆方向）される。その結果、第１タンブラ２３Ａがロッキングバー４３と共に移動し、第１タンブラ２３Ａの位置決め孔５５ｂが、第２タンブラ２３Ｂの位置決めピン５７に嵌入することとなる。そして、第２専用キー７１が第１の位置Ｐ１まで回転されることで、第１タンブラ２３Ａと第２タンブラ２３Ｂとの組合せ位置の変更が完了する（図１４参照）。
【００３８】
図１５は第２のキーが抜かれた錠変更完了状態の軸線直交方向の断面図である。
この状態で、第２専用キー７１が抜かれることで、第２専用キー７１と第２タンブラ２３Ｂとの係合が外れ、第１タンブラ２３Ａと第２タンブラ２３Ｂとがタンブラ付勢バネ５２によってスライドされる。また、このときにリセットバー６３の凸部６３ｂが第１タンブラ２３Ａの移動軌跡から後退することとなる。すなわちリセットバー６３の凹部６３ａが第１タンブラ２３Ａの移動軌跡に位置し、妨げとならない。
なお、この状態で第１専用キー２１がキー孔１７へ挿入されても、タンブラ２３のバー進入凹部５３Ａがタンブラ係合板部４７と一致しないため、ロッキングバー４３がバー収容溝４１内へ後退できない。その結果、ロッキングバー４３が、外筒１５のロック溝４９から外れず、内筒１９の回動が規制される。
これにより、シリンダー錠１００は、第２専用キー７１による施解錠が可能な状態への錠変更が完了する。
【００３９】
図１６（ａ）〜（ｆ）は第１タンブラと第２タンブラとの組合せパターンを分解状態と組立状態とで表した説明図である。
第１タンブラ２３Ａと第２タンブラ２３Ｂとは、３箇所の異なる位置で連結されることとなる。これら、それぞれの異なる位置で連結されることで、タンブラ２３は、左辺部のバー進入凹部がそれぞれ異なる形状となる。つまり、タンブラ係合板部４７が挿入可能なバー進入凹部５３Ａ、バー進入凹部５３Ｂと、位置決めピン５７、すなわちキー突起５９との距離Ｌ１（図１６（ａ）（ｂ）），Ｌ２（図１６（ｃ）（ｄ）），Ｌ３（図１６（ｅ）（ｆ））が変更される。これにより、異なるキー溝２１ａ，７１ａ，８１ａ等を有する複数の第１専用キー２１、第２専用キー７１、第３専用キー８１、・・・への変更を可能としている。
【００４０】
また、第１タンブラ２３Ａと第２タンブラ２３Ｂとが異なる３箇所に配置されても、タンブラ２３の左辺部には、共通してタンブラ係合板部４７の進入可能なバー進入凹部５３Ａ、５３Ｂが形成されることとなる。したがって、当該位置におけるキー突起５９の進入可能なキー溝をマスターキーに設ければ、このマスターキーは、第２タンブラ２３Ｂの異なる３箇所の配置のいずれの位置においてもタンブラ係合板部４７を受け入れ可能、すなわち、施解錠可能にすることができる。
【００４１】
なお、内筒１９は、変更キー６９の挿入によって、第１の位置Ｐ１から１８０°時計方向に回転され、さらに、ニュートラルキー７５、第２専用キー７１等によって１８０°回転されることとなるが、第２の位置Ｐ２から時計回りに第３の位置Ｐ３、第４の位置Ｐ４、第１の位置Ｐ１までにおいては、内筒１９は、テールピース７３との係合が解除される構成を有する。これにより、錠機構と連結して内筒１９が回動不能となることが回避されている。
【００４２】
したがって、上記のシリンダー錠１００は、変更キー６９を挿入し、内筒１９を所定の回転角度範囲に回転することで、第１タンブラ２３Ａと第２タンブラ２３Ｂとの連結を解除し、その状態で、変更キー６９を抜き、ニュートラルキー７５を挿入する。すると、第１タンブラ２３Ａが内筒１９に対して固定された位置である基準位置となる初期位置にスライドされて保持（挟持）され、ニュートラルキー７５が回転されると、第１タンブラ２３Ａは、リセットバー６３とロッキングバー４３とでスライドが規制された状態となる。ここで、ニュートラルキー７５が抜かれると、第２タンブラ２３Ｂのみがフリー状態となり、第２専用キー７１を挿入して、第２タンブラ２３Ｂを第２専用キー７１に応じた位置へ配置を変更することができる。この結果、シリンダー錠１００を交換せずに、多大な費用を費やすことなく、鍵変更を可能に、すなわちカギ違いを変更、別言すると、タンブラ（２３Ａ，２３Ｂ）の凹部（５３Ａ，５３Ｂ）とキー突起５９との距離（間隔位置）の組合せを変更可能にすることができる。また、錠変更は、新たに使用したいキーをキー孔１７へ挿入するのみで可能となるので、変更作業を極めて容易に行うことができる。これに加え、ニュートラルキー７５を用いて変更途中の第１タンブラ２３Ａを初期位置（基準となる位置）に設定できるので、第１専用キー２１が不要になり、例えば第１専用キー２１を紛失してしまった場合であっても、錠変更を可能にすることができる。
【００４３】
また、本実施の形態のシリンダー錠１００によれば、ロッキングバー４３にガイド溝６１を形成し、このガイド溝６１を介してロッキングバー４３に第１タンブラ２３Ａを軸線方向に一体移動可能に保持させたので、ロッキングバー４３を利用して第１タンブラ２３Ａを保持することができ、ロッキングバー４３が第１タンブラ２３Ａの保持部材を兼ねることになって、他部材を用いずに少ない部品点数で第１タンブラ２３Ａ、第２タンブラ２３Ｂ同士の連結解除機構を構成することができる。
【図面の簡単な説明】
【００４４】
【図１】本発明に係るシリンダー錠の外観斜視図である。
【図２】図１に示したシリンダー錠のキー挿入方向に直交する方向の断面図である。
【図３】図２の分解斜視図である。
【図４】（ｃ）のＡ−Ａ断面を（ａ）、（ｃ）のＢ−Ｂ断面を（ｂ）、本発明シリンダー錠のキー挿入方向に直交する方向の断面を（ｃ）に表した説明図である。
【図５】変更キーが挿入された動作説明図である。
【図６】図５の軸線を含む面で切断した断面図である。
【図７】変更キーの約１３５°回転位置を（ａ）、（ａ）のＣ−Ｃ断面を（ｂ）、（ａ）のＤ−Ｄ断面を（ｃ）に表した動作説明図である。
【図８】変更キーが最終回転位置となった状態を表す断面図である。
【図９】変更キーが抜かれた軸線直交方向の断面視を（ａ）、（ａ）のＥ−Ｅ断面を（ｂ）、（ａ）のＦ−Ｆ断面を（ｃ）に表した動作説明図である。
【図１０】ニュートラルキーが挿入された軸線直交方向の断面を（ａ）、（ａ）のＧ−Ｇ断面を（ｂ）に表した動作説明図である。
【図１１】ニュートラルキー回転状態の軸線直交方向の断面図である。
【図１２】ニュートラルキーが抜かれた軸線直交方向の断面図である。
【図１３】第２のキーが挿入された軸線直交方向の断面図である。
【図１４】第２のキーによる回転完了状態を表した軸線直交方向の断面図である。
【図１５】第２のキーが抜かれた錠変更完了状態の軸線直交方向の断面図である。
【図１６】第１タンブラと第２タンブラとの組合せパターンを分解状態と組立状態とで表した説明図である。
【符号の説明】
【００４５】
１５…外筒
１７…キー孔
１９…内筒
２１…第１のキー（第１専用キー）
２１ａ，７１ａ，７５ａ…キー溝
２３…タンブラ
２３Ａ…第１タンブラ
２３Ｂ…第２タンブラ
４１…バー収容溝
４３…ロッキングバー
４９…ロック溝
５１…タンブラ収容空間
５３Ａ，５３Ｂ…バー進入凹部
５５ａ，５５ｂ，５５ｃ…連結手段（位置決め孔）
５７…連結手段（位置決めピン）
５９…キー突起
６０ａ，６０ｂ…離間片
６１…ガイド溝
６３…リセットバー
６９…変更キー
７１…第２のキー（第２専用キー）
７３…テールピース
７５…ニュートラルキー
１００…シリンダー錠
【図１】
2006328854.tif 000003
【図２】
2006328854.tif 000004
【図３】
2006328854.tif 000005
【図４】
2006328854.tif 000006
【図５】
2006328854.tif 000007
【図６】
2006328854.tif 000008
【図７】
2006328854.tif 000009
【図８】
2006328854.tif 000010
【図９】
2006328854.tif 000011
【図１０】
2006328854.tif 000012
【図１１】
2006328854.tif 000013
【図１２】
2006328854.tif 000014
【図１３】
2006328854.tif 000015
【図１４】
2006328854.tif 000016
【図１５】
2006328854.tif 000017
【図１６】
2006328854.tif 000018